(57)【要約】【課題】分散型電源の単独運転状態を確実に検出し防止する。【解決手段】第１の送電線の所定区間を遮断する複数の第１の遮断器夫々に対応する複数の第１の遠隔監視制御装置から、前記複数の第１の遮断器の開閉状態を示す第１の監視情報を受信して保持する第１の受信部と、前記第１の受信部の前記第１の監視情報の中に、分散型電源を単独運転状態とする前記第１の監視情報が含まれているか否かを判定する判定部と、前記分散型電源を単独運転状態とする前記第１の監視情報が含まれていると前記判定部が判定した場合、前記第１の送電線と前記分散型電源との間を遮断する第２の遮断器を開放するための制御信号を送信する送信部と、前記制御信号に基づいて、前記第２の遮断器を開放状態となるように制御する制御部と、を備える。【選択図】  図１
2012019664.tif 000002
【特許請求の範囲】
【請求項１】
第１の送電線の所定区間を遮断する複数の第１の遮断器夫々に対応する複数の第１の遠隔監視制御装置から、前記複数の第１の遮断器の開閉状態を示す第１の監視情報を受信して保持する第１の受信部と、
前記第１の受信部の前記第１の監視情報の中に、分散型電源を単独運転状態とする前記第１の監視情報が含まれているか否かを判定する判定部と、
前記分散型電源を単独運転状態とする前記第１の監視情報が含まれていると前記判定部が判定した場合、前記第１の送電線と前記分散型電源との間を遮断する第２の遮断器を開放するための制御信号を送信する送信部と、
前記制御信号に基づいて、前記第２の遮断器を開放状態となるように制御する制御部と、
を備えることを特徴とする分散型電源の運転制御装置。
【請求項２】
前記第１の受信部は、前記複数の第１の遠隔監視制御装置夫々から前記第１の遠隔監視制御装置の動作状態を示す自己情報を受信して保持し、
前記判定部は、前記第１の受信部の前記自己情報の中に、前記第１の遠隔監視制御装置が故障状態であることを示す前記自己情報が含まれているか否かを判定し、
前記送信部は、前記第１の受信部の前記自己情報の中に、前記第１の遠隔監視制御装置が故障状態であることを示す前記自己情報が含まれていると前記判定部が判定した場合、前記制御信号の送信を禁止することを特徴とする請求項１に記載の分散型電源の運転制御装置。
【請求項３】
前記第１の受信部の前記自己情報の中に、前記第１の遠隔監視制御装置が故障状態であることを示す前記自己情報が含まれていると前記判定部が判定した場合、該当する前記第１の遠隔監視制御装置が故障状態であることを示す警報を発生する警報部、
を備えることを特徴とする請求項２に記載の分散型電源の運転制御装置。
【請求項４】
前記第１の送電線に接続される当該第１の送電線とは別電力系統の第２の送電線の所定区間を遮断する第３の遮断器に対応する第２の遠隔監視制御装置から、前記第３の遮断器の開閉状態を示す第２の監視情報を受信して保持する第２の受信部、
を備え、
前記判定部は、前記第１および第２の受信部の前記第１および第２の監視情報の中に、前記第１および第２の送電線の双方に接続された前記分散型電源を単独運転状態とする前記第１および第２の監視情報が含まれているか否かを判定し、
前記判定部が、前記第１および第２の受信部の前記第１および第２の監視情報の中に、前記分散型電源を単独運転状態とする前記第１および第２の監視情報が含まれていると判定した場合、前記送信部が、前記第１および第２の送電線と前記分散型電源との間を遮断する前記第２の遮断器を開放するための制御信号を送信することを特徴とする請求項１に記載の分散型電源の運転制御装置。
【発明の詳細な説明】
【技術分野】
【０００１】
本発明は、分散型電源の運転制御装置に関する。
【背景技術】
【０００２】
分散型電源が単独で負荷に対して電力を供給する状態（単独運転状態）を防止する装置として、例えば特許文献１に開示される単独運転検出装置が知られている。
【０００３】
単独運転検出装置は、連系遮断器および位相検出器を含んで構成される。そして、単独運転検出装置は、送電線（又は配電線）に接続された分散型電源の単独運転状態を防止する。尚、当該分散型電源は、送電線に接続された交流電源と並列となるように接続されている。
【０００４】
連系遮断器は、分散型電源と送電線との間に設けられ、分散型電源と送電線との間を遮断する。また、位相検出器は、分散型電源と送電線が接続される地点に設けられ、分散型電源と送電線が接続される地点の電圧位相を検出する。
【０００５】
ここで、分散型電源は、送電線に接続された負荷が必要とする有効電力を供給するように運転される。そして、当該負荷が必要とする無効電力は送電線に接続された交流電源より供給される。
【０００６】
送電線の事故により送電線と交流電源の間が遮断された場合、当該負荷が必要とする無効電力が当該負荷に供給されなくなる。よって、位相検出器により検出される電圧位相は、送電線と交流電源の間の遮断により供給されなくなった無効電力に相当する分だけ変化する。位相検出器により検出される電圧位相が、送電線と交流電源の間の遮断により供給されなくなった無効電力に相当する分だけ変化した場合、連系遮断器が開放される。
【０００７】
従って、単独運転検出装置は、位相検出器により検出される電圧位相が、送電線と交流電源の間の遮断により供給されなくなった無効電力に相当する分だけ変化するか否かに応じて、分散型電源が単独運転状態であるか否かを判定していた。そして、単独運転検出装置は、分散型電源が単独運転状態であると判定した場合、連系遮断器を開放することにより分散型電源の単独運転状態を防止していた。
【先行技術文献】
【特許文献】
【０００８】
【特許文献１】特開平８−８２６４６号公報
【発明の概要】
【発明が解決しようとする課題】
【０００９】
特許文献１に開示される単独運転検出装置は、分散型電源による電力の供給および送電線に接続された負荷が必要とする電力が平衡している場合、送電線と交流電源の間が遮断されても位相検出器により検出される電圧位相は、分散型電源が単独運転状態であると判定される程変化しないことがある。この場合、単独運転検出装置は、分散型電源の単独運転状態を確実に検出し防止できない虞があった。
【課題を解決するための手段】
【００１０】
前述した課題を解決する主たる本発明は、第１の送電線の所定区間を遮断する複数の第１の遮断器夫々に対応する複数の第１の遠隔監視制御装置から、前記複数の第１の遮断器の開閉状態を示す第１の監視情報を受信して保持する第１の受信部と、前記第１の受信部の前記第１の監視情報の中に、分散型電源を単独運転状態とする前記第１の監視情報が含まれているか否かを判定する判定部と、前記分散型電源を単独運転状態とする前記第１の監視情報が含まれていると前記判定部が判定した場合、前記第１の送電線と前記分散型電源との間を遮断する第２の遮断器を開放するための制御信号を送信する送信部と、前記制御信号に基づいて、前記第２の遮断器を開放状態となるように制御する制御部と、を備えることを特徴とする分散型電源の運転制御装置である。
【００１１】
本発明の他の特徴については、添付図面及び本明細書の記載により明らかとなる。
【発明の効果】
【００１２】
本発明によれば、送電線に接続された分散型電源の単独運転状態を確実に検出し防止することができる。
【図面の簡単な説明】
【００１３】
【図１】本発明の第１実施形態に係る分散型電源の運転制御装置を示す図である。
【図２】本発明の第１実施形態に係る判定部１ｂの一例を示す図である。
【図３】本発明の第１実施形態および第２実施形態に係る中央装置１の運転制御動作を示すフローチャートである。
【図４】本発明の第２実施形態に係る分散型電源の運転制御装置を示す図である。
【図５】本発明の第２実施形態に係る判定部１０ｂ（１１ｂ）の一例を示す図である。
【発明を実施するための形態】
【００１４】
本明細書および添付図面の記載により、少なくとも以下の事項が明らかとなる。
【００１５】
[第１実施形態]
＝＝＝送電系統＝＝＝
図１は、本実施形態に係る分散型電源の運転制御装置を示す図である。  
送電系統２０は、発電所２、変電所２１、変電所２２および送電線Ｌ０を備えて構成される。  
送電線Ｌ０は、発電所２に接続されている。  
変電所２１は送電線Ｌ０における発電所２からの線路長が変電所２２よりも短い地点に設けられ、変電所２２は送電線Ｌ０における発電所２からの線路長が変電所２１よりも長い地点に設けられる。
【００１６】
変電所２１は、遮断器ＣＢ１ａ、ＣＢ１ｂ、断路器ＬＬ１ａ、ＬＬ１ｂ、ＢＬ１ａ、ＢＬ１ｂ、配電線Ｌ１および変圧器（不図示）を備えて構成される。変電所２２は、遮断器ＣＢ２ａ、ＣＢ２ｂ、断路器ＬＬ２ａ、ＬＬ２ｂ、ＢＬ２ａ、ＢＬ２ｂ、配電線Ｌ２および変圧器を備えて構成される。
【００１７】
変電所２１（２２）には送電線Ｌ０により送電された電力を降圧する変圧器が設けられ、配電線Ｌ１（Ｌ２）は、変圧器を介して送電線Ｌ０に接続される。尚、配電線Ｌ１（Ｌ２）が変圧器を介して送電線Ｌ０に接続される地点をａ（ｂ）地点とする。
【００１８】
遮断器ＣＢ１ａはａ地点よりも発電所２側において送電線Ｌ０に接続され、遮断器ＣＢ１ｂはａ地点よりも変電所２２側において送電線Ｌ０に接続される。遮断器ＣＢ２ａはｂ地点よりも変電所２１側において送電線Ｌ０に接続され、遮断器ＣＢ２ｂはｂ地点よりも発電所２からの線路長が長い地点において送電線Ｌ０に接続される。
【００１９】
断路器ＬＬ１ａ、ＢＬ１ａは、ａ地点よりも発電所２側において遮断器ＣＢ１ａを挟んだ状態で送電線Ｌ０に設けられる。断路器ＬＬ１ａは遮断器ＣＢ１ａよりも発電所２側において送電線Ｌ０に接続され、断路器ＢＬ１ａは遮断器ＣＢ１ａよりもａ地点側において送電線Ｌ０に接続される。断路器ＬＬ１ｂ、ＢＬ１ｂは、ａ地点よりも変電所２２側において遮断器ＣＢ１ｂを挟んだ状態で送電線Ｌ０に設けられる。断路器ＬＬ１ｂは遮断器ＣＢ１ｂよりも変電所２２側において送電線Ｌ０に接続され、断路器ＢＬ１ｂは遮断器ＣＢ１ｂよりもａ地点側において送電線Ｌ０に接続される。
【００２０】
遮断器ＣＢ２ａはｂ地点よりも変電所２１側において送電線Ｌ０に接続され、遮断器ＣＢ２ｂはｂ地点よりも発電所２からの線路長が長い地点において送電線Ｌ０に接続される。
【００２１】
断路器ＬＬ２ａ、ＢＬ２ａは、ｂ地点よりも変電所２１側において遮断器ＣＢ２ａを挟んだ状態で送電線Ｌ０に設けられる。断路器ＬＬ２ａは遮断器ＣＢ２ａよりも変電所２１側において送電線Ｌ０に接続され、断路器ＢＬ２ａは遮断器ＣＢ２ａよりもｂ地点側において送電線Ｌ０に接続される。
【００２２】
断路器ＬＬ２ｂ、ＢＬ２ｂは、ｂ地点よりも発電所２からの線路長が長い地点において遮断器ＣＢ２ｂを挟んだ状態で送電線Ｌ０に設けられる。断路器ＬＬ２ｂは遮断器ＣＢ２ｂよりも発電所２からの線路長が長い地点において送電線Ｌ０に接続され、断路器ＢＬ２ｂは遮断器ＣＢ２ｂよりもｂ地点側において送電線Ｌ０に接続される。
【００２３】
遮断器ＣＢ１ａは、例えば送電線Ｌ０に短絡又は地絡などの故障が生じた場合、自動的に開状態となり遮断器ＣＢ１ａが接続される位置において送電線Ｌ０を遮断する。そして、当該故障が復旧した場合、作業者が遮断器ＣＢ１ａを閉状態とすることにより、遮断器ＣＢ１ａが接続される位置において遮断された送電線Ｌ０は再閉路される。尚、遮断器ＣＢ１ｂ、ＣＢ２ａ、ＣＢ２ｂの動作も遮断器ＣＢ１ａの動作と同様であるので、その説明は省略する。
【００２４】
断路器ＬＬ１ａは、例えば送電線Ｌ０が無負荷状態（電流が流れていない状態）の場合、断路器ＬＬ１ａを開状態とし送電線Ｌ０を断路器ＬＬ１ａが接続される位置において電気的に分断する際に用いられる。尚、断路器ＬＬ１ｂ、ＢＬ１ａ、ＢＬ１ｂ、ＬＬ２ａ、ＬＬ２ｂ、ＢＬ２ａ、ＢＬ２ｂも断路器ＬＬ１ａと同様に用いられるので、その説明は省略する。
【００２５】
＝＝＝分散型電源および遠隔監視制御装置＝＝＝
分散型電源Ｇは、例えば風力発電所に設けられる電源であり、送電系統２０に接続されている。  
分散型電源Ｇは、遮断器ＣＢを介して変電所２２における変電所２１の反対側の送電線Ｌ０に接続される。  
遮断器ＣＢの開閉は、後述する転送遮断装置３（制御部）により制御される。転送遮断装置３により遮断器ＣＢが開とされた場合、分散型電源Ｇと送電系統２０との間は遮断される。一方、転送遮断装置３により遮断器ＣＢが閉とされた場合、分散型電源Ｇは送電系統２０に接続されることとなる。
【００２６】
遠隔監視制御装置ＴＣ１（ＴＣ２）は、変電所２１（２２）内に設けられている。遠隔監視制御装置ＴＣ１（ＴＣ２）は、後述する情報集配信装置ＤＸにおける情報集配信部ＤＸ１（ＤＸ２）との間で通信が行われるように、例えば通信ケーブルＴ１（Ｔ２）により情報集配信部ＤＸ１（ＤＸ２）に接続される。
【００２７】
遠隔監視制御装置ＴＣ１は、遮断器ＣＢ１ａ、ＣＢ１ｂ、断路器ＬＬ１ａ、ＬＬ１ｂ、ＢＬ１ａ、ＢＬ１ｂ（以下、変電所２１における遮断器ＣＢ１ａ等とする）の開閉を監視し制御する。尚、遠隔監視制御装置ＴＣ１が監視する、変電所２１における遮断器ＣＢ１ａ等の開閉を示す情報を監視情報Ｄ１とする。また、遠隔監視制御装置ＴＣ２は、遮断器ＣＢ２ａ、ＣＢ２ｂ、断路器ＬＬ２ａ、ＬＬ２ｂ、ＢＬ２ａ、ＢＬ２ｂ（以下、変電所２２における遮断器ＣＢ２ａ等とする）の開閉を監視し制御する。尚、遠隔監視制御装置ＴＣ２が監視する、変電所２２における遮断器ＣＢ２ａ等の開閉を示す情報を監視情報Ｄ２とする。そして、遠隔監視制御装置ＴＣ１（ＴＣ２）は、情報集配信部ＤＸ１（ＤＸ２）より情報要求命令を受信した場合、監視情報Ｄ１（Ｄ２）および後述する自己情報Ｄ１１（Ｄ２２）を情報集配信部ＤＸ１（ＤＸ２）に送信する。
【００２８】
ここで、遠隔監視制御装置ＴＣ１（ＴＣ２）は、情報集配信部ＤＸ１（ＤＸ２）より開閉命令を受信した場合、変電所２１（２２）における遮断器ＣＢ１ａ（ＣＢ２ａ）等の開閉を制御する。また、遠隔監視制御装置ＴＣ１（ＴＣ２）に備えられた直接運転スイッチ（不図示）を入とすると、遠隔監視制御装置ＴＣ１（ＴＣ２）は、情報集配信部ＤＸ１（ＤＸ２）からの開閉命令を受信しても変電所２１（２２）における遮断器ＣＢ１ａ（ＣＢ２ａ）等の開閉を制御しなくなる（以下、直接運転状態という）。そして、遠隔監視制御装置ＴＣ１（ＴＣ２）は、自己が直接運転状態である否かを示す情報を含む自己情報Ｄ１１（Ｄ２２）を生成する。
【００２９】
遠隔監視制御装置ＴＣ１（ＴＣ２）は、例えば情報集配信部ＤＸ１（ＤＸ２）に正しく監視情報Ｄ１（Ｄ２）および自己情報Ｄ１１（Ｄ２２）を送信できるか否かを判断するための診断機能を有する。後述する中央装置１が診断実行命令を遠隔監視制御装置ＴＣ１（ＴＣ２）に送信すると、遠隔監視制御装置ＴＣ１（ＴＣ２）は、情報集配信部ＤＸ１（ＤＸ２）に正しく監視情報Ｄ１（Ｄ２）および自己情報Ｄ１１（Ｄ２２）を送信できるか否かの診断を行うこととなる。遠隔監視制御装置ＴＣ１（ＴＣ２）は、例えば情報集配信部ＤＸ１（ＤＸ２）に対してパリティビットを有するテスト信号を送信し、情報集配信部ＤＸ１（ＤＸ２）がパリティエラーチェックを行う。情報集配信部ＤＸ１（ＤＸ２）は、遠隔監視制御装置ＴＣ１（ＴＣ２）より受信したテスト信号のパリティエラーチェック結果を遠隔監視制御装置ＴＣ１（ＴＣ２）に送信する。遠隔監視制御装置ＴＣ１（ＴＣ２）は、情報集配信部ＤＸ１（ＤＸ２）からパリティエラーが検出されたという結果を受信した場合、故障状態であることを示す情報を含む自己情報Ｄ１１（Ｄ２２）を生成する。
【００３０】
遠隔監視制御装置ＴＣ１（ＴＣ２）は、前述した診断を行っている場合、診断状態であることを示す情報を含む自己情報Ｄ１１（Ｄ２２）を生成する。
【００３１】
上記したように自己情報Ｄ１１（Ｄ２２）は、遠隔監視制御装置ＴＣ１、ＴＣ２夫々が、直接運転状態か否か、故障状態か否か、診断状態か否か示す情報を含む情報である。尚、自己情報Ｄ１１（Ｄ２２）は、例えば最上位ビットから順に直接運転状態か否か、故障状態か否か、診断状態か否かを示す３ビットのバイナリデータが用いられる。そして、直接運転状態か否かを示すビットにおいて、１（論理値）は直接運転状態を示し、０（論理値）は直接運転状態でないことを示す。故障状態か否かを示すビットにおいて、１（論理値）は故障状態を示し、０（論理値）は故障状態でないことを示す。診断状態か否かを示すビットにおいて、１（論理値）は診断状態を示し、０（論理値）は診断状態でないことを示す。
【００３２】
＝＝＝分散型電源の運転制御装置＝＝＝
分散型電源Ｇの運転制御装置８は、中央装置１、転送遮断装置３および情報集配信装置ＤＸを備えて構成される。
【００３３】
中央装置１は、命令送信部１ａおよび判定部１ｂを有する。  
命令送信部１ａは、情報要求命令、開閉命令、遮断命令、診断実行命令を情報集配信装置ＤＸに送信する。判定部１ｂについては後述する。
【００３４】
情報集配信装置ＤＸは、情報集配信部ＤＸ１ないしＤＸ３を有する。情報集配信装置ＤＸは、情報集配信部ＤＸ１ないしＤＸ３を介して、中央装置１と遠隔監視制御装置ＴＣ１、ＴＣ２、転送遮断装置３の間の通信を中継する。
【００３５】
情報集配信部ＤＸ１ないＤＸ３は、例えば情報集配信装置ＤＸとの間で通信可能に接続されるモジュールである。そして、情報集配信部ＤＸ１（ＤＸ２）は、前述したように遠隔監視制御装置ＴＣ１（ＴＣ２）との間で通信が行われるように、例えば通信ケーブルＴ１（Ｔ２）により接続される。情報集配信部ＤＸ３は、後述する転送遮断装置３との間で通信が行われるように、例えば通信ケーブルＴ３により接続される。そして、情報集配信部ＤＸ１（ＤＸ２）は、情報集配信装置ＤＸが受信した情報要求命令、開閉命令および診断実行命令を遠隔監視制御装置ＴＣ１（ＴＣ２）に送信する。また、情報集配信部ＤＸ１（ＤＸ２）は、遠隔監視制御装置ＴＣ１（ＴＣ２）が送信した監視情報Ｄ１（Ｄ２）および自己情報Ｄ１１（Ｄ２２）を受信して保持する。情報集配信部ＤＸ３は、情報集配信装置ＤＸが受信した遮断命令（制御信号）を転送遮断装置３へ送信する。
【００３６】
ここで、分散型電源Ｇには、例えば分散型電源Ｇの出力電力量を表示し通信ネットワークを介して情報を受信できるようなモニタ端末（不図示）が備えられる。
【００３７】
中央装置１は、情報集配信装置ＤＸとの間で通信が行われるように、例えば通信ケーブルＴ０により情報集配信装置ＤＸに接続される。また、中央装置１は、警報メッセージを分散型電源Ｇのモニタ端末に表示するための警報情報を分散型電源Ｇのモニタ端末に送信できるように、例えば通信ネットワーク（不図示）を介して分散型電源Ｇのモニタ端末に接続される。
【００３８】
転送遮断装置３は、情報集配信部ＤＸ３より遮断命令を受信すると遮断器ＣＢを開とする。
【００３９】
＝＝＝判定部１ｂ＝＝＝
図２は、本実施形態に係る判定部１ｂの一例を示す図である。  
判定部１ｂは、情報集配信部ＤＸ１、ＤＸ２に保持された監視情報Ｄ１、Ｄ２に分散型電源Ｇを単独運転状態とする監視情報Ｄ１、Ｄ２（以下、単独運転状態監視情報とする）が含まれているか否かを判定する。尚、変電所２１における遮断器ＣＢ１ａ等および変電所２２における遮断器ＣＢ２ａ等のうち、少なくとも１つが開とされる場合、分散型電源Ｇは、発電所２から分断される。その場合、分散型電源Ｇは、単独で送電線Ｌ０に対して電力を供給する単独運転状態となる。また判定部１ｂは、情報集配信部ＤＸ１、ＤＸ２に保持された自己情報Ｄ１１、Ｄ２２に遠隔監視制御装置ＴＣ１、ＴＣ２が直接運転状態、故障様態又は診断状態であることを示す自己情報Ｄ１１、Ｄ２２（以下、異常状態自己情報とする）が含まれているか否かも判定する。
【００４０】
ここで、監視情報Ｄ１は、遠隔監視制御装置ＴＣ１が監視する、変電所２１における遮断器ＣＢ１ａ等の開閉を示す情報である。監視情報Ｄ１は、例えば最上位ビットから順に遮断器ＣＢ１ａ、断路器ＬＬ１ａ、ＢＬ１ａ、遮断器ＣＢ１ｂ、断路器ＬＬ１ｂ、ＢＬ１ｂ夫々の開閉を示す６ビットのバイナリデータが用いられる。そして、遮断器ＣＢ１ａ、断路器ＬＬ１ａ、ＢＬ１ａ、遮断器ＣＢ１ｂ、断路器ＬＬ１ｂ、ＢＬ１ｂ夫々のビットにおいて、１（論理値）は開を示し、０（論理値）は閉を示す。また監視情報Ｄ２は、遠隔監視制御装置ＴＣ２が監視する、変電所２２における遮断器ＣＢ２ａ等の開閉を示す情報である。監視情報Ｄ２は、例えば最上位ビットから順に遮断器ＣＢ２ａ、断路器ＬＬ２ａ、ＢＬ２ａ、遮断器ＣＢ２ｂ、断路器ＬＬ２ｂ、ＢＬ２ｂ夫々の開閉を示す６ビットのバイナリデータが用いられる。そして、遮断器ＣＢ２ａ、断路器ＬＬ２ａ、ＢＬ２ａ、遮断器ＣＢ２ｂ、断路器ＬＬ２ｂ、ＢＬ２ｂ夫々のビットにおいて、１（論理値）は開を示し、０（論理値）は閉を示す。
【００４１】
判定部１ｂは、論理和回路Ｃ１ないしＣ８、Ｃ１３、Ｃ１５、論理積回路Ｃ９、Ｃ１１、Ｃ１６、反転回路Ｃ１０、Ｃ１２、Ｃ１４を含んで構成される。
【００４２】
データＤＩ１０ないしＤＩ１８およびデータＤＩ２０ないしＤＩ２８が判定部１ｂに入力される。データＤＯ１、ＤＯ２が判定部１ｂから出力される。
【００４３】
論理和回路Ｃ１には、データＤＩ１０ないしＤＩ１２が入力される。論理和回路Ｃ２には、データＤＩ１３ないしＤＩ１５が入力される。論理和回路Ｃ３には、データＤＩ１６ないしＤＩ１８が入力される。論理和回路Ｃ４には、データＤＩ２０ないしＤＩ２２が入力される。論理和回路Ｃ５には、データＤＩ２３ないしＤＩ２５が入力される。論理和回路Ｃ６には、データＤＩ２６ないしＤＩ２８が入力される。論理和回路Ｃ７には、論理和回路Ｃ１、Ｃ２の出力が入力される。論理和回路Ｃ８には、論理和回路Ｃ４、Ｃ５の出力が入力される。反転回路Ｃ１０には、論理和回路Ｃ３の出力が入力される。論理積回路Ｃ９には、論理和回路Ｃ７の出力および反転回路Ｃ１０の出力が入力される。反転回路Ｃ１２には論理和回路Ｃ６の出力が入力される。論理積回路Ｃ１１には、論理和回路Ｃ８の出力および反転回路Ｃ１２の出力が入力される。論理和回路Ｃ１３には、論理和回路Ｃ３、Ｃ６の出力が入力される。論理和回路Ｃ１５には、論理積回路Ｃ９、Ｃ１１の出力が入力される。反転回路Ｃ１４には論理和回路Ｃ１３の出力が入力される。論理積回路Ｃ１６には、論理和回路Ｃ１５および反転回路Ｃ１４の出力が入力される。論理積回路Ｃ１６の出力がデータＤＯ１となる。論理和回路Ｃ１３の出力がデータＤＯ２となる。
【００４４】
ここで、判定部１ｂにおけるデータＤＩ１０ないしＤＩ１８およびデータＤＩ２０ないしＤＩ２８とデータＤＯ１、ＤＯ２について、異常状態、単独運転状態、非単独運転状態に分けて説明する。
【００４５】
データＤＩ１０ないしＤＩ１８、データＤＩ２０ないしＤＩ２８として、監視情報Ｄ１、Ｄ２および自己情報Ｄ１１、Ｄ２２の各ビットのバイナリデータが入力される。データＤＩ１０ないしＤＩ１５として夫々、監視情報Ｄ１におけるバイナリデータが最上位ビットから最下位ビットの順に入力される。データＤＩ１６、ＤＩ１７、ＤＩ１８として夫々、自己情報Ｄ１１におけるバイナリデータが最上位ビットから最下位ビットの順に入力される。データＤＩ２０ないしＤＩ２５として夫々、監視情報Ｄ２におけるバイナリデータが最上位ビットから最下位ビットの順に入力される。データＤＩ２６、ＤＩ２７、ＤＩ２８として夫々、自己情報Ｄ２２におけるバイナリデータが最上位ビットから最下位ビットの順に入力される。
【００４６】
＜異常状態＞
異常状態とは、情報集配信部ＤＸ１、ＤＸ２に保持された自己情報Ｄ１１、Ｄ２２に異常状態自己情報が含まれる場合をいう。つまり、遠隔監視制御装置ＴＣ１、ＴＣ２のうち、少なくとも何れかが直接運転状態、故障状態または診断状態である場合である。よって、データＤＩ１６、ＤＩ１７、ＤＩ１８、ＤＩ２６、ＤＩ２７、ＤＩ２８の少なくとも１つに１が入力され、データＤＩ１０ないしＤＩ１５およびデータＤＩ２０ないしＤＩ２５に１又は０が入力される。そして、データＤＯ１は０となり、データＤＯ２は１となる。  
以下、異常状態でない場合について説明する。
【００４７】
＜単独運転状態＞
単独運転状態とは、情報集配信部ＤＸ１、ＤＸ２に保持された監視情報Ｄ１、Ｄ２に単独運転状態監視情報が含まれている場合をいう。つまり、単独運転状態は、前述のしたように変電所２１における遮断器ＣＢ１ａ等および変電所２２における遮断器ＣＢ２ａ等のうち、少なくとも１つが開とされる場合である。よって、データＤＩ１０ないしＤＩ１５およびデータＤＩ２０ないしＤＩ２５の少なくとも１つに１が入力され、データＤＩ１６、ＤＩ１７、ＤＩ１８、ＤＩ２６、ＤＩ２７、ＤＩ２８全てに０が入力される。よって、データＤＯ１は１となり、データＤＯ２は０となる。
【００４８】
＜非単独運転状態＞
非単独運転状態とは、情報集配信部ＤＸ１、ＤＸ２に保持された監視情報Ｄ１、Ｄ２に単独運転状態監視情報が含まれていない場合をいう。つまり、非単独運転状態は、変電所２１における遮断器ＣＢ１ａ等および変電所２２における遮断器ＣＢ２ａ等が全て閉とされる場合である。よって、データＤＩ１０ないしＤＩ１８およびデータＤＩ２０ないしＤＩ２８全てに０が入力される。よって、データＤＯ１は０となり、データＤＯ２は０となる。
【００４９】
従って、判定部１ｂにおけるデータＤＯ１に応じて、情報集配信部ＤＸ１、ＤＸ２に保持された監視情報Ｄ１、Ｄ２に単独運転状態監視情報が含まれているか否かが判定される。つまり、データＤＯ１が１の場合、情報集配信部ＤＸ１、ＤＸ２に保持された監視情報Ｄ１、Ｄ２に単独運転状態監視情報が含まれていると判定される。一方、データＤＯ１が０の場合、情報集配信部ＤＸ１、ＤＸ２に保持された監視情報Ｄ１、Ｄ２に単独運転状態監視情報が含まれていないと判定される。
【００５０】
判定部１ｂにおけるデータＤＯ２に応じて、情報集配信部ＤＸ１、ＤＸ２に保持された自己情報Ｄ１１、Ｄ２２に異常状態自己情報が含まれているか否かが判定される。つまり、データＤＯ２が１の場合、情報集配信部ＤＸ１、ＤＸ２に保持された自己情報Ｄ１１、Ｄ２２に異常状態自己情報が含まれていると判定される。一方、データＤＯ２が０の場合、情報集配信部ＤＸ１、ＤＸ２に保持された自己情報Ｄ１１、Ｄ２２に異常状態自己情報が含まれていないと判定される。
【００５１】
＝＝＝分散型電源の運転制御装置の動作＝＝＝
図３は、本実施形態に係る中央装置１の運転制御動作を示すフローチャートである。  
中央装置１に備えられた運転制御動作スイッチを入とし、中央装置１が運転制御動作を開始したところから説明する。中央装置１は、遠隔監視制御装置ＴＣ１、ＴＣ２の監視情報Ｄ１、Ｄ２および自己情報Ｄ１１、Ｄ２２を要求する（ステップＳ１１）。つまり、命令送信部１ａが、情報集配信装置ＤＸに情報要求命令を送信する。情報集配信部ＤＸ１（ＤＸ２）は、情報集配信装置ＤＸが受信した情報要求命令を遠隔監視制御装置ＴＣ１（ＴＣ２）に送信する。遠隔監視制御装置ＴＣ１（ＴＣ２）は、情報集配信部ＤＸ１（ＤＸ２）より情報要求命令を受信すると、情報集配信部ＤＸ１（ＤＸ２）に対して監視情報Ｄ１（Ｄ２）および自己情報Ｄ１１（Ｄ２２）を送信する。情報集配信部ＤＸ１（ＤＸ２）は、遠隔監視制御装置ＴＣ１（ＴＣ２）から受信した監視情報Ｄ１（Ｄ２）および自己情報Ｄ１１（Ｄ２２）を保持する。
【００５２】
次に、判定部１ｂは、情報集配信部ＤＸ１、ＤＸ２に保持された監視情報Ｄ１、Ｄ２に単独運転状態監視情報が含まれているか否かを判定する（ステップＳ１２）。つまり、前述したように、判定部１ｂにデータＤＩ１０ないしＤＩ１８、データＤＩ２０ないしＤＩ２８として、監視情報Ｄ１、Ｄ２および自己情報Ｄ１１、Ｄ２２の各ビットのバイナリデータが入力される。そして、判定部１ｂから出力されるデータＤＯ１が１であるか否かが判定される。また判定部１ｂは、情報集配信部ＤＸ１、ＤＸ２に保持された自己情報Ｄ１１、Ｄ２２に異常状態自己情報が含まれているか否かを判定する（ステップＳ１２）。つまり、前述したように、判定部１ｂにデータＤＩ１０ないしＤＩ１８、データＤＩ２０ないしＤＩ２８として、監視情報Ｄ１、Ｄ２および自己情報Ｄ１１、Ｄ２２の各ビットのバイナリデータが入力される。そして、判定部１ｂから出力されるデータＤＯ２が１であるか否かが判定される。
【００５３】
次に、判定部１ｂが、情報集配信部ＤＸ１、ＤＸ２に保持された監視情報Ｄ１、Ｄ２に単独運転状態監視情報が含まれていると判定した場合（ステップＳ１３のＹＥＳ）、命令送信部１ａは、遮断命令を情報集配信装置ＤＸに送信する。情報集配信部ＤＸ３は、情報集配信装置ＤＸが受信した遮断命令を転送遮断装置３へ送信する。転送遮断装置３は、遮断命令を情報集配信部ＤＸ３より受信すると、遮断器ＣＢを開とする（ステップＳ１４）。そして、中央装置１の運転制御動作は終了する。
【００５４】
一方、判定部１ｂが、情報集配信部ＤＸ１、ＤＸ２に保持された監視情報Ｄ１、Ｄ２に単独運転状態監視情報が含まれていないと判定した場合（ステップＳ１３のＮＯ）、中央装置１は、自己情報Ｄ１１、Ｄ２２に異常状態自己情報が含まれているか否かにより、以下のように動作する。
【００５５】
判定部１ｂが、情報集配信部ＤＸ１、ＤＸ２に保持された自己情報Ｄ１１、Ｄ２２に異常状態自己情報が含まれていると判定した場合（ステップＳ１５のＹＥＳ）、命令送信部１ａは、分散型電源Ｇのモニタ端末に対して警報情報を送信する。分散型電源Ｇのモニタ端末は、命令送信部１ａより警報情報を受信すると、分散型電源Ｇのモニタ端末に警報メッセージを表示させる（ステップＳ１６）。そして、中央装置１の運転制御動作は終了する。
【００５６】
一方、判定部１ｂが、情報集配信部ＤＸ１、ＤＸ２に保持された自己情報Ｄ１１、Ｄ２２に異常状態自己情報が含まれていないと判定した場合（ステップＳ１５のＮＯ）、中央装置１は、再び遠隔監視制御装置ＴＣ１、ＴＣ２に監視情報Ｄ１、Ｄ２および自己情報Ｄ１１、Ｄ２２を要求する（ステップＳ１１）。
【００５７】
[第２実施形態]
＝＝＝分散型電源の運転制御装置＝＝＝
図４は、本実施形態に係る分散型電源の運転制御装置を示す図である。尚、前述した構成については同じ番号を付すのみで、その説明は省略する。
【００５８】
送電系統２０とは別の送電系統である送電系統２０ａが送電系統２０に接続されている。  
送電系統２０ａは、発電所５、変電所２４および送電線Ｌ０ａを備えて構成される。  
送電線Ｌ０ａの一端は発電所５に接続され、送電線Ｌ０ａの他端は発電所２からの線路長が変電所２２よりも長いｃ地点で送電線Ｌ０に接続されている。
【００５９】
変電所２４は、送電線Ｌ０ａにおける発電所５とｃ地点の間に設けられる。変電所２４は、遮断器ＣＢ４ａ、ＣＢ４ｂ、断路器ＬＬ４ａ、ＬＬ４ｂ、ＢＬ４ａ、ＢＬ４ｂ、配電線Ｌ４および変圧器（不図示）を備えて構成される。  
変電所２４には送電線Ｌ０ａにより送電された電力を降圧する変圧器が設けられ、配電線Ｌ４は、変圧器を介して送電線Ｌ０ａに接続される。尚、配電線Ｌ４が変圧器を介して送電線Ｌ０ａに接続される地点をｄ地点とする。  
遮断器ＣＢ４ａはｄ地点よりもｃ地点側において送電線Ｌ０ａに接続され、遮断器ＣＢ４ｂはｄ地点よりも発電所５側において送電線Ｌ０ａに接続される。
【００６０】
断路器ＬＬ４ａ、ＢＬ４ａは、ｄ地点よりもｃ地点側において遮断器ＣＢ４ａを挟んだ状態で送電線Ｌ０ａに設けられる。断路器ＬＬ４ａは遮断器ＣＢ４ａよりもｃ地点側において送電線Ｌ０ａに接続され、断路器ＢＬ４ａは遮断器ＣＢ４ａよりもｄ地点側において送電線Ｌ０ａに接続される。断路器ＬＬ４ｂ、ＢＬ４ｂは、ｄ地点よりも発電所５側において遮断器ＣＢ４ｂを挟んだ状態で送電線Ｌ０ａに設けられる。断路器ＬＬ４ｂは遮断器ＣＢ４ｂよりも発電所５側において送電線Ｌ０ａに接続され、断路器ＢＬ４ｂは遮断器ＣＢ４ｂよりもｄ地点側において送電線Ｌ０ａに接続される。  
分散型電源Ｇは、遮断器ＣＢを介してｃ地点で送電線Ｌ０、Ｌ０ａに接続される。
【００６１】
遠隔監視制御装置ＴＣ４は、変電所２４内に設けられる。遠隔監視制御装置ＴＣ４は、情報集配信装置ＤＸａにおける情報集配信部ＤＸ４との間で通信が行われるように、例えば通信ケーブルＴ４により情報集配信部ＤＸ４に接続される。
【００６２】
遠隔監視制御装置ＴＣ４は、遮断器ＣＢ４ａ、ＣＢ４ｂ、断路器ＬＬ４ａ、ＬＬ４ｂ、ＢＬ４ａ、ＢＬ４ｂ（以下、変電所２４における遮断器ＣＢ４ａ等とする）の開閉を監視し制御する。尚、遠隔監視制御装置ＴＣ４が監視する、変電所２４における遮断器ＣＢ４ａ等の開閉を示す情報を監視情報Ｄ４とする。監視情報Ｄ４は、遠隔監視制御装置ＴＣ１における監視情報Ｄ１と同様であるので、その説明は省略する。そして、遠隔監視制御装置ＴＣ４は、情報集配信部ＤＸ４より情報要求命令を受信した場合、監視情報Ｄ４および自己情報Ｄ４４を情報集配信部ＤＸ４に送信する。尚、自己情報Ｄ４４は、遠隔監視制御装置ＴＣ１における自己情報Ｄ１１と同様であるので、その説明は省略する。
【００６３】
本実施形態に係る分散型電源Ｇの運転制御装置８ａは、中央装置１０、１１、転送遮断装置３および情報集配信装置ＤＸ、ＤＸａを備えて構成される。  
中央装置１０（１１）は、命令送信部１０ａ（１１ａ）および判定部１０ｂ（１１ｂ）を有する。尚、中央装置１０、１１は同様な構成であり、同様な動作を行う。  
命令送信部１０ａ（１１ａ）は、情報要求命令、開閉命令、診断実行命令を情報集配信装置ＤＸ、ＤＸａに送信する。また、命令送信部１０ａ（１１ａ）は、遮断命令を情報集配信装置ＤＸに送信する。尚、判定部１０ｂ（１１ｂ）については後述する。
【００６４】
情報集配信装置ＤＸａは、情報集配信部ＤＸ４を有する。情報集配信装置ＤＸａは、情報集配信部ＤＸ４介して、中央装置１０（１１）と遠隔監視制御装置ＴＣ４の間の通信を中継する。
【００６５】
情報集配信部ＤＸ４は、例えば情報集配信装置ＤＸａとの間で通信可能に接続されるモジュールである。情報集配信部ＤＸ４は、情報集配信装置ＤＸａが受信した情報要求命令、開閉命令および診断実行命令を遠隔監視制御装置ＴＣ４に送信する。また、情報集配信部ＤＸ４は、遠隔監視制御装置ＴＣ４が送信した監視情報Ｄ４および自己情報Ｄ４４を受信して保持する。中央装置１０、１１は、情報集配信装置ＤＸ、ＤＸａとの間で通信が行われるように、例えば通信ネットワークＮを介して情報集配信装置ＤＸ、ＤＸａに接続される。中央装置１０、１１は、警報メッセージを分散型電源Ｇのモニタ端末に表示するための警報情報を分散型電源Ｇのモニタ端末に送信できるように、例えば通信ネットワーク（不図示）を介して分散型電源Ｇのモニタ端末に接続される。
【００６６】
＝＝＝判定部１０ｂ、１１ｂ＝＝＝
図５は、本実施形態に係る判定部１０ｂ（１１ｂ）の一例を示す図である。  
判定部１０ｂ（１１ｂ）は、情報集配信部ＤＸ１、ＤＸ２、ＤＸ４に保持された監視情報Ｄ１、Ｄ２、Ｄ４に単独運転状態監視情報が含まれているか否かを判定する。尚、変電所２１における遮断器ＣＢ１ａ等および変電所２２における遮断器ＣＢ２ａ等のうち少なくとも１つが開とされ、かつ変電所２４における遮断器ＣＢ４ａ等のうち少なくとも１つが開とされる場合、分散型電源Ｇは、発電所２、５から分断される。その場合、分散型電源Ｇは、単独で送電線Ｌ０およびＬ０ａに対して電力を供給する単独運転状態となる。また判定部１０ｂ（１１ｂ）は、情報集配信部ＤＸ１、ＤＸ２、ＤＸ４に保持された自己情報Ｄ１１、Ｄ２２、Ｄ４４に異常状態自己情報が含まれているか否かも判定する。
【００６７】
判定部１０ｂ（１１ｂ）は、論理和回路Ｃ１ないしＣ８、Ｃ１３、Ｃ１５、Ｃ１７ないしＣ２０、論理積回路Ｃ９、Ｃ１１、Ｃ１６、Ｃ２２、Ｃ２３、反転回路Ｃ１０、Ｃ１２、Ｃ１４、Ｃ２１を含んで構成される。  
データＤＩ１０ないしＤＩ１８、データＤＩ２０ないしＤＩ２８およびデータＤＩ４０ないしＤＩ４８が判定部１０ｂ（１１ｂ）に入力される。データＤＯ１１、ＤＯ２２が判定部１０ｂ（１１ｂ）から出力される。
【００６８】
論理和回路Ｃ１７には、データＤＩ４０ないしＤＩ４２が入力される。論理和回路Ｃ１８には、データＤＩ４３ないしＤＩ４５が入力される。論理和回路Ｃ１９には、データＤＩ４６ないしＤＩ４８が入力される。論理和回路Ｃ２０には、論理和回路Ｃ１７、Ｃ１８の出力が入力される。反転回路Ｃ２１には、論理和回路Ｃ１９の出力が入力される。論理積回路Ｃ２２には、論理和回路Ｃ２０の出力および反転回路Ｃ２１の出力が入力される。論理積回路Ｃ２３には、論理和回路Ｃ１５の出力および論理積回路Ｃ２２の出力が入力される。論理和回路Ｃ１３には、論理和回路Ｃ３、Ｃ６、Ｃ１９の出力が入力される。論理積回路Ｃ１６には、論理積回路Ｃ２３の出力および反転回路Ｃ１４の出力が入力される。論理積回路Ｃ１６の出力がデータＤＯ１１となる。論理和回路Ｃ１３の出力がデータＤＯ２２となる。尚、論理和回路Ｃ１ないしＣ８、Ｃ１５、論理積回路Ｃ９、Ｃ１１、反転回路Ｃ１０、Ｃ１２、Ｃ１４に入力されるデータは判定部１ｂと同様である。
【００６９】
判定部１０ｂ（１１ｂ）におけるデータＤＩ１０ないしＤＩ１８、データＤＩ２０ないしＤＩ２８およびデータＤＩ４０ないしＤＩ４８とデータＤＯ１１、ＤＯ２２について、異常状態、単独運転状態、非単独運転状態に分けて説明する。
【００７０】
ここで、データＤＩ４０ないしＤＩ４８として、監視情報Ｄ４および自己情報Ｄ４４の各ビットのバイナリデータが入力される。データＤＩ４０ないしＤＩ４５として夫々、監視情報Ｄ４におけるバイナリデータが最上位ビットから最下位ビットの順に入力される。データＤＩ４６、ＤＩ４７、ＤＩ４８として夫々、自己情報Ｄ４４におけるバイナリデータが最上位ビットから最下位ビットの順に入力される。
【００７１】
＜異常状態＞
異常状態とは、情報集配信部ＤＸ１、ＤＸ２、ＤＸ４に保持された自己情報Ｄ１１、Ｄ２２、Ｄ４４に異常状態自己情報が含まれる場合をいう。つまり、遠隔監視制御装置ＴＣ１、ＴＣ２、ＴＣ４のうち、少なくとも何れかが直接運転状態、故障状態または診断状態である場合である。よって、データＤＩ１６、ＤＩ１７、ＤＩ１８、ＤＩ２６、ＤＩ２７、ＤＩ２８、ＤＩ４６、ＤＩ４７、ＤＩ４８の少なくとも１つに１が入力され、データＤＩ１０ないしＤＩ１５、データＤＩ２０ないしＤＩ２５およびデータＤＩ４０ないしＤＩ４５に１又は０が入力される。そして、データＤＯ１１は０となり、データＤＯ２２は１となる。  
以下、異常状態でない場合について説明する。
【００７２】
＜単独運転状態＞
単独運転状態とは、情報集配信部ＤＸ１、ＤＸ２、ＤＸ４に保持された監視情報Ｄ１、Ｄ２、Ｄ４に単独運転状態監視情報が含まれている場合をいう。つまり、単独運転状態は、前述のしたように変電所２１における遮断器ＣＢ１ａ等および変電所２２における遮断器ＣＢ２ａ等のうち少なくとも１つが開とされ、かつ変電所２４における遮断器ＣＢ４ａ等のうち少なくとも１つが開とされる場合である。よって、データＤＩ１０ないしＤＩ１５およびデータＤＩ２０ないしＤＩ２５の少なくとも１つに１が入力され、かつＤＩ４０ないしＤＩ４５の少なくとも１つに１が入力され、データＤＩ１６、ＤＩ１７、ＤＩ１８、ＤＩ２６、ＤＩ２７、ＤＩ２８、ＤＩ４６、ＤＩ４７、ＤＩ４８全てに０が入力される。よって、データＤＯ１１は１となり、データＤＯ２２は０となる。
【００７３】
＜非単独運転状態＞
非単独運転状態とは、情報集配信部ＤＸ１、ＤＸ２、ＤＸ４に保持された監視情報Ｄ１、Ｄ２、Ｄ４に単独運転状態監視情報が含まれていない場合をいう。つまり、非単独運転状態は、少なくとも変電所２１における遮断器ＣＢ１ａ等および変電所２２における遮断器ＣＢ２ａ等または変電所２４における遮断器ＣＢ４ａ等が全て閉とされる場合である。つまり、少なくともデータＤＩ１０ないしＤＩ１８およびデータＤＩ２０ないしＤＩ２８全てに０が入力されるか、データＤＩ４０ないしＤＩ４８全てに０が入力される。よって、データＤＯ１１、ＤＯ２２は０となる。
【００７４】
従って、データＤＯ１１が１の場合、情報集配信部ＤＸ１、ＤＸ２、ＤＸ４に保持された監視情報Ｄ１、Ｄ２、Ｄ４に単独運転状態監視情報が含まれていると判定される。一方、データＤＯ１１が０の場合、情報集配信部ＤＸ１、ＤＸ２、ＤＸ４に保持された監視情報Ｄ１、Ｄ２、Ｄ４に単独運転状態監視情報が含まれていないと判定される。データＤＯ２２が１の場合、情報集配信部ＤＸ１、ＤＸ２、ＤＸ４に保持された自己情報Ｄ１１、Ｄ２２、Ｄ４４に異常状態自己情報が含まれていると判定される。一方、データＤＯ２２が０の場合、情報集配信部ＤＸ１、ＤＸ２、ＤＸ４に保持された自己情報Ｄ１１、Ｄ２２、Ｄ４４に異常状態自己情報が含まれていないと判定される。
【００７５】
＝＝＝分散型電源の運転制御装置の動作＝＝＝
中央装置１０、１１に夫々備えられた運転制御動作スイッチ（不図示）を入とされた中央装置１０又は中央装置１１の何れかが、後述する運転制御動作を行う。
【００７６】
中央装置１０，１１は、図３におけるフローチャートに従って運転制御動作を行う。尚、中央装置１０、１１夫々が行う運転制御動作は同様であるので、中央装置１１の運転制御動作の説明は省略し中央装置１０の運転制御動作についてのみ説明する。
【００７７】
中央装置１０に備えられた運転制御動作スイッチを入とし、中央装置１０が運転制御動作を開始したところから説明する。中央装置１０は、遠隔監視制御装置ＴＣ１、ＴＣ２、ＴＣ４の監視情報Ｄ１、Ｄ２、Ｄ４および自己情報Ｄ１１、Ｄ２２、Ｄ４４を要求する（ステップＳ１１）。つまり、命令送信部１０ａが、情報集配信装置ＤＸ、ＤＸａに情報要求命令を送信する。情報集配信部ＤＸ１（ＤＸ２）は、情報集配信装置ＤＸが受信した情報要求命令を遠隔監視制御装置ＴＣ１（ＴＣ２）に送信する。また、情報集配信部ＤＸ４は、情報集配信装置ＤＸａが受信した情報要求命令を遠隔監視制御装置ＴＣ４に送信する。遠隔監視制御装置ＴＣ１（ＴＣ２）は、情報集配信部ＤＸ１（ＤＸ２）より情報要求命令を受信すると、情報集配信部ＤＸ１（ＤＸ２）に対して監視情報Ｄ１（Ｄ２）および自己情報Ｄ１１（Ｄ２２）を送信する。また、遠隔監視制御装置ＴＣ４は、情報集配信部ＤＸ４より情報要求命令を受信すると、情報集配信部ＤＸ４に対して監視情報Ｄ４および自己情報Ｄ４４を送信する。情報集配信部ＤＸ１（ＤＸ２）は、遠隔監視制御装置ＴＣ１（ＴＣ２）から受信した監視情報Ｄ１（Ｄ２）および自己情報Ｄ１１（Ｄ２２）を保持する。情報集配信部ＤＸ４は、遠隔監視制御装置ＴＣ４から受信した監視情報Ｄ４および自己情報Ｄ４４を保持する。
【００７８】
次に、判定部１０ｂは、情報集配信部ＤＸ１、ＤＸ２、ＤＸ４に保持された監視情報Ｄ１、Ｄ２、Ｄ４に単独運転状態監視情報が含まれているか否かを判定する（ステップＳ１２）。つまり、前述したように、判定部１０ｂにデータＤＩ１０ないしＤＩ１８、データＤＩ２０ないしＤＩ２８、データＤＩ４０ないしＤＩ４８として、監視情報Ｄ１、Ｄ２、Ｄ４および自己情報Ｄ１１、Ｄ２２、Ｄ４４の各ビットのバイナリデータが入力される。そして、判定部１０ｂから出力されるデータＤＯ１が１であるか否かが判定される。また判定部１０ｂは、情報集配信部ＤＸ１、ＤＸ２、ＤＸ４に保持された自己情報Ｄ１１、Ｄ２２、Ｄ４４に異常状態自己情報が含まれているか否かを判定する（ステップＳ１２）。つまり、前述したように、判定部１０ｂにデータＤＩ１０ないしＤＩ１８、データＤＩ２０ないしＤＩ２８、データＤＩ４０ないしＤＩ４８として、監視情報Ｄ１、Ｄ２、Ｄ４および自己情報Ｄ１１、Ｄ２２、Ｄ４４の各ビットのバイナリデータが入力される。そして、判定部１０ｂから出力されるデータＤＯ２が１であるか否かが判定される。
【００７９】
次に、判定部１０ｂが、情報集配信部ＤＸ１、ＤＸ２、ＤＸ４に保持された監視情報Ｄ１、Ｄ２、Ｄ４に単独運転状態監視情報が含まれていると判定した場合（ステップＳ１３のＹＥＳ）、命令送信部１０ａは、遮断命令を情報集配信装置ＤＸに送信する。情報集配信部ＤＸ３は、情報集配信装置ＤＸが受信した遮断命令を転送遮断装置３へ送信する。転送遮断装置３は、遮断命令を情報集配信部ＤＸ３より受信すると、遮断器ＣＢを開とする（ステップＳ１４）。そして、中央装置１０の運転制御動作は終了する。
【００８０】
一方、判定部１０ｂが、情報集配信部ＤＸ１、ＤＸ２、ＤＸ４に保持された監視情報Ｄ１、Ｄ２、Ｄ４に単独運転状態監視情報が含まれていないと判定した場合（ステップＳ１３のＮＯ）、中央装置１０は、自己情報Ｄ１１、Ｄ２２、Ｄ４４に異常状態自己情報が含まれているか否かにより、以下のように動作する。
【００８１】
判定部１０ｂが、情報集配信部ＤＸ１、ＤＸ２、ＤＸ４に保持された自己情報Ｄ１１、Ｄ２２、Ｄ４４に異常状態自己情報が含まれていると判定した場合（ステップＳ１５のＹＥＳ）、命令送信部１０ａは、分散型電源Ｇのモニタ端末に対して警報情報を送信する。分散型電源Ｇのモニタ端末は、命令送信部１０ａより警報情報を受信すると、分散型電源Ｇのモニタ端末に警報メッセージを表示させる（ステップＳ１６）。そして、中央装置１０の運転制御動作は終了する。
【００８２】
一方、判定部１０ｂが、情報集配信部ＤＸ１、ＤＸ２、ＤＸ４に保持された自己情報Ｄ１１、Ｄ２２、Ｄ４４に異常状態自己情報が含まれていないと判定した場合（ステップＳ１５のＮＯ）、中央装置１０は、再び遠隔監視制御装置ＴＣ１、ＴＣ２、ＴＣ４に監視情報Ｄ１、Ｄ２、Ｄ４および自己情報Ｄ１１、Ｄ２２、Ｄ４４を要求する（ステップＳ１１）。
【００８３】
前述したように、情報集配信部ＤＸ１（ＤＸ２）は、遠隔監視制御装置ＴＣ１（ＴＣ２）が送信する監視情報Ｄ１（Ｄ２）を受信し保持する。そして、判定部１ｂは、情報集配信部ＤＸ１、ＤＸ２に保持された監視情報Ｄ１、Ｄ２に単独運転状態監視情報が含まれているか否かを判定する。判定部１ｂが、情報集配信部ＤＸ１、ＤＸ２に保持された監視情報Ｄ１、Ｄ２に単独運転状態監視情報が含まれていると判定した場合、情報集配信部ＤＸ３は、遮断命令を転送遮断装置３へ送信する。転送遮断装置３は、遮断命令を情報集配信部ＤＸ３より受信すると、遮断器ＣＢを開とする。よって、分散型電源の運転制御装置８は、送電線Ｌ０に接続された分散型電源Ｇの単独運転状態を確実に検出し防止することができる。
【００８４】
また、情報集配信部ＤＸ１（ＤＸ２）は、遠隔監視制御装置ＴＣ１（ＴＣ２）が送信する自己情報Ｄ１１（Ｄ２２）を受信し保持する。判定部１ｂは、情報集配信部ＤＸ１、ＤＸ２に保持された自己情報Ｄ１１、Ｄ２２に異常状態自己情報が含まれているか否かを判定する。判定部１ｂが、情報集配信部ＤＸ１、ＤＸ２に保持された自己情報Ｄ１１、Ｄ２２に異常状態自己情報が含まれていると判定した場合、情報集配信部ＤＸ３から転送遮断装置３への遮断命令の送信が禁止される。よって、分散型電源の運転制御装置８は、遠隔監視制御装置ＴＣ１、ＴＣ２が、直接運転状態、故障状態または診断状態の場合、遮断器ＣＢを開としない。従って、遠隔監視制御装置ＴＣ１、ＴＣ２が直接運転状態、故障状態又は診断状態であることに起因して誤った監視情報Ｄ１、Ｄ２に基づいて、分散型電源の運転制御装置８が、遮断器ＣＢを開とするのを防止することができる。
【００８５】
また、判定部１ｂが、情報集配信部ＤＸ１、ＤＸ２に保持された自己情報Ｄ１１、Ｄ２２に異常状態自己情報が含まれていると判定した場合、命令送信部１ａは、分散型電源Ｇのモニタ端末に対して警報情報を送信する。そして、分散型電源Ｇのモニタ端末に警報メッセージが表示される。よって、分散型電源Ｇの制御を行う作業員に遠隔監視制御装置ＴＣ１、ＴＣ２が直接運転状態、故障状態又は診断状態であり、分散型電源Ｇが単独運転状態となっても遮断器ＣＢは開とされないことを知らせることができる。従って、分散型電源Ｇの制御を行う作業員に、自己の判断で分散型電源Ｇを停止させて分散型電源Ｇが単独運転状態となることを未然に防止することができる。
【００８６】
また、情報集配信部ＤＸ４は、遠隔監視制御装置ＴＣ１、ＴＣ２が監視する送電系統２０とは別系統の送電系統２０ａを監視する遠隔監視制御装置ＴＣ４が送信する監視情報Ｄ４を受信し保持する。判定部１０ｂ（１１ｂ）は、情報集配信部ＤＸ１、ＤＸ２、ＤＸ４に保持された監視情報Ｄ１、Ｄ２、Ｄ４に単独運転状態監視情報が含まれているか否かを判定する。判定部１０ｂ（１１ｂ）が、情報集配信部ＤＸ１、ＤＸ２、ＤＸ４に保持された監視情報Ｄ１、Ｄ２、Ｄ４に単独運転状態監視情報が含まれていると判定した場合、情報集配信部ＤＸ３は、遮断命令を転送遮断装置３へ送信する。転送遮断装置３は、遮断命令を情報集配信部ＤＸ３より受信すると、遮断器ＣＢを開とする。よって、分散型電源の運転制御装置８ａは、別電力系統に共通に接続された分散型電源Ｇの単独運転状態を確実に検出し防止することができる。
【００８７】
尚、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【００８８】
第１実施形態における判定部１ｂは、監視情報Ｄ１、Ｄ２、自己情報Ｄ１１、Ｄ２２を入力データとし、入力データに単独運転状態監視情報および異常状態自己情報が含まれているか否かのデータＤＯ１、ＤＯ２を出力するような、例えば論理回路を用いたハードウエアでもよいし、プログラムを用いたソフトエアでもよい。また、第２実施形態における判定部１０ｂ、１１ｂは、監視情報Ｄ１、Ｄ２、Ｄ４、自己情報Ｄ１１、Ｄ２２、Ｄ４４を入力データとし、入力データに単独運転状態監視情報および異常状態自己情報が含まれているか否かのデータＤＯ１１、ＤＯ２２を出力するような、例えば論理回路を用いたハードウエアでもよいし、プログラムを用いたソフトエアでもよい。
【符号の説明】
【００８９】
１、１０、１１    中央装置
１ａ、１０ａ、１１ａ    命令送信部
１ｂ、１０ｂ、１１ｂ    判定部
２、５    発電所
３    転送遮断装置
８、８ａ    分散型電源の運転制御装置
ＣＢ、ＣＢ１ａ、ＣＢ１ｂ、ＣＢ２ａ、ＣＢ２ｂ、ＣＢ４ａ、ＣＢ４ｂ  遮断器
ＤＸ、ＤＸａ    情報集配信装置
ＤＸ１、ＤＸ２、ＤＸ３、ＤＸ４  情報集配信部
Ｇ    分散型電源
Ｌ０、Ｌ０ａ    送電線
ＴＣ１、ＴＣ２、ＴＣ４  遠隔監視制御装置
【図１】
2012019664.tif 000003
【図２】
2012019664.tif 000004
【図３】
2012019664.tif 000005
【図４】
2012019664.tif 000006
【図５】
2012019664.tif 000007